(57)【特許請求の範囲】
【請求項１】
２つ以上のユーザ装置にサービスを提供する少なくとも１つの無線基地局を備える無線通信システムにおいてリソースを割り当てる方法であって、
各ユーザ装置は送信アンテナと受信アンテナとを備えるアンテナ構成を具備し、
少なくとも１つのスケジューリング部が前記ユーザ装置へのリソースの割り当てを制御し、
前記方法は、前記スケジューリング部によって実行され、
前記ユーザ装置のうちの少なくとも２つのユーザ装置のアンテナ構成の偏波に関する情報を読み出すステップ（３１０）と、
前記読み出された情報に基づいて前記少なくとも２つのユーザ装置にリソースを割り当てるステップ（３２０）と、
２つ以上のスケジューリング部が前記少なくとも２つのユーザ装置へのリソースの割り当てを制御する場合に、前記読み出された情報に基づいて第２スケジューリング部とリソースの割り当てを調整するステップ（３３０）と
を有することを特徴とする方法。
【請求項２】
前記アンテナ構成の偏波に関する情報を読み出すステップ（３１０）は、前記アンテナ構成の受信アンテナの偏波に関する情報を読み出すステップ（３１１）を含み、
前記リソースを割り当てるステップ（３２０）は、前記読み出された情報に基づいて、前記少なくとも２つのユーザ装置にサービスを提供する少なくとも１つの無線基地局の送信アンテナ偏波を制御するステップ（３２１）を含む
ことを特徴とする請求項１に記載の方法。
【請求項３】
前記少なくとも２つのユーザ装置の前記アンテナ構成は少なくとも１つの追加の送信アンテナを有し、
前記アンテナ構成の偏波に関する情報を読み出すステップ（３１０）は、前記アンテナ構成の前記送信アンテナのそれぞれの偏波に関する情報を読み出すステップ（３１２）を含み、
前記リソースを割り当てるステップ（３２０）は、前記読み出された情報に基づいて、前記少なくとも２つのユーザ装置の送信アンテナ偏波を制御するステップ（３２２）を含む
ことを特徴とする請求項１に記載の方法。
【請求項４】
前記送信アンテナ偏波の前記制御は、送信アンテナの重みを適用することを含むことを特徴とする請求項２又は３に記載の方法。
【請求項５】
前記リソースを割り当てるステップ（３２０）は、実質的に直交するアンテナ偏波を有する前記少なくとも２つのユーザ装置のうちの２つを、同一の時間リソース又は周波数リソースにスケジューリングするステップを含むことを特徴とする請求項１に記載の方法。
【請求項６】
２つ以上のユーザ装置にサービスを提供する少なくとも１つの無線基地局を備える無線通信システムにおいてリソースを割り当てる方法であって、
各ユーザ装置は送信アンテナと受信アンテナとを備えるアンテナ構成を具備し、
少なくとも１つのスケジューリング部が前記ユーザ装置へのリソースの割り当てを制御し、
前記方法は、無線基地局によって実行され、
サービスを受けるユーザ装置のうちの少なくとも２つのユーザ装置のアンテナ構成の偏波に関する情報を読み出すステップ（４１０）と、
２つ以上のスケジューリング部が前記少なくとも２つのユーザ装置へのリソースの割り当てを制御する場合に、スケジューリング部が前記読み出された情報を用いて第２スケジューリング部とリソースの割り当てを調整するために前記読み出された情報を前記スケジューリング部へ送信するステップ（４２０）と
を有することを特徴とする方法。
【請求項７】
前記アンテナ構成の偏波に関する情報を読み出すステップ（４１０）は、
各無線基地局受信アンテナについての上りリンク信号強度の測定に基づいて前記アンテナ構成の前記送信アンテナの偏波を決定するステップ（４１１）と、
前記決定された偏波を、少なくとも２つの取りうる偏波状態のうちの１つに量子化するステップ（４１２）と
を含むことを特徴とする請求項６に記載の方法。
【請求項８】
前記アンテナ構成の偏波に関する情報を読み出すステップ（４１０）は、前記アンテナ構成の前記送信アンテナの偏波状態に等しくなるように前記アンテナ構成の前記受信アンテナの偏波状態を推定するステップ（４１３）を更に含むことを特徴とする請求項７に記載の方法。
【請求項９】
各無線基地局受信アンテナについての前記上りリンク信号強度の前記測定は少なくとも２つの周波数について実行されることを特徴とする請求項７又は８に記載の方法。
【請求項１０】
前記アンテナ構成の偏波に関する前記情報は前記サービスを受けるユーザ装置のそれぞれから読み出されることを特徴とする請求項６に記載の方法。
【請求項１１】
２つ以上のユーザ装置にサービスを提供する少なくとも１つの無線基地局を備える無線通信システムにおいてリソースを割り当てる方法であって、
各ユーザ装置は送信アンテナと受信アンテナとを備えるアンテナ構成を具備し、
少なくとも１つのスケジューリング部が前記ユーザ装置へのリソースの割り当てを制御し、
前記方法は、ユーザ装置によって実行され、
前記アンテナ構成の偏波を決定するステップ（５１０）と、
２つ以上のスケジューリング部が前記ユーザ装置へのリソースの割り当てを制御する場合に、スケジューリング部が転送された情報を用いて第２スケジューリング部とリソースの割り当てを調整するために、前記スケジューリング部へ前記決定された偏波に関する情報を転送するステップ（５２０）と
を有することを特徴とする方法。
【請求項１２】
前記アンテナ構成の偏波を決定するステップ（５１０）は、
サービング無線基地局の送信アンテナ固有のパイロットの測定に基づいて前記アンテナ構成の前記受信アンテナの偏波を決定するステップ（５１１）と、
前記決定された偏波を少なくとも２つの取りうる偏波状態のうちの１つに量子化するステップ（５１２）と
を含み、
前記偏波状態は垂直偏波状態と水平偏波状態とを含む
ことを特徴とする請求項１１に記載の方法。
【請求項１３】
前記偏波状態は混合偏波状態と択一偏波状態との少なくとも一方を更に含むことを特徴とする請求項１２に記載の方法。
【請求項１４】
前記アンテナ構成の偏波を決定するステップ（５１０）は、前記アンテナ構成の前記受信アンテナの偏波状態に等しくなるように前記アンテナ構成の前記送信アンテナの偏波状態を推定するステップ（５１３）を含むことを特徴とする請求項１２又は１３に記載の方法。
【請求項１５】
サービング無線基地局の送信アンテナ固有のパイロットの前記測定は少なくとも２つの周波数について実行されることを特徴とする請求項１２乃至１４の何れか１項に記載の方法。
【請求項１６】
前記無線通信システムはＬＴＥであり、スケジューリング部は各無線基地局と同じ場所に配置され、前記決定された偏波に関する前記情報はプリコーディング行列インジケータ（ＰＭＩ）を用いてサービング無線基地局内の前記スケジューリング部へ転送されることを特徴とする請求項１１乃至１５の何れか１項に記載の方法。
【請求項１７】
前記アンテナ構成の偏波を決定するステップ（５１０）及び前記決定された偏波に関する情報を転送するステップ（５２０）は、一定間隔で実行されるか、スケジューリング部からの問い合わせに応答して実行されるか、所定のイベントが発生した場合に実行されることを特徴とする請求項１１乃至１６の何れか１項に記載の方法。
【請求項１８】
無線通信システムのためのスケジューリング部（６００）であって、
前記無線通信システムは２つ以上のユーザ装置（６２０）にサービスを提供する少なくとも１つの無線基地局（６１０）を備え、
各ユーザ装置（６２０）は送信アンテナと受信アンテナとを備えるアンテナ構成（６２３）を具備し、
前記スケジューリング部（６００）はユーザ装置へのリソースの割り当てを制御するように構成され、
前記ユーザ装置のうちの少なくとも２つのユーザ装置のアンテナ構成の偏波に関する情報を読み出すための読み出し部（６０１）と、
前記読み出された情報に基づいて前記少なくとも２つのユーザ装置にリソースを割り当てるための割り当て部（６０２）と、
２つ以上のスケジューリング部が前記少なくとも２つのユーザ装置へのリソースの割り当てを制御する場合に、前記読み出された情報に基づいて第２スケジューリング部とリソースの割り当てを調整するための調整部（６０３）と
を有することを特徴とするスケジューリング部（６００）。
【請求項１９】
前記読み出し部（６０１）は、前記アンテナ構成の受信アンテナの偏波に関する情報を読み出すように構成され、
前記割り当て部（６０２）は、前記読み出された情報に基づいて、前記少なくとも２つのユーザ装置にサービスを提供する少なくとも１つの無線基地局の送信アンテナ偏波を制御するように構成される
ことを特徴とする請求項１８に記載のスケジューリング部（６００）。
【請求項２０】
前記少なくとも２つのユーザ装置の前記アンテナ構成は少なくとも１つの追加の送信アンテナを有し、
前記読み出し部（６０１）は、前記アンテナ構成の前記送信アンテナのそれぞれの偏波に関する情報を読み出すように構成され、
前記割り当て部（６０２）は、前記読み出された情報に基づいて、前記少なくとも２つのユーザ装置の送信アンテナ偏波を制御するように構成される
ことを特徴とする請求項１８に記載のスケジューリング部（６００）。
【請求項２１】
前記送信アンテナ偏波の前記制御は、送信アンテナの重みを適用することを含むことを特徴とする請求項１９又は２０に記載のスケジューリング部（６００）。
【請求項２２】
前記割り当て部（６０２）は、実質的に直交するアンテナ偏波を有する前記少なくとも２つのユーザ装置のうちの２つを、同一の時間リソース又は周波数リソースにスケジューリングするように構成されることを特徴とする請求項１８に記載のスケジューリング部（６００）。
【請求項２３】
無線通信システムのための無線基地局（６１０）であって、
前記無線通信システムはユーザ装置（６２０）へのリソースの割り当てを制御するスケジューリング部（６００）を備え、
各ユーザ装置は送信アンテナと受信アンテナとを備えるアンテナ構成（６２３）を具備し、
前記無線基地局は前記ユーザ装置にサービスを提供するように構成され、
サービスを受けるユーザ装置のうちの少なくとも２つのユーザ装置のアンテナ構成の偏波に関する情報を読み出すための読み出し部（６１１）と、
２つ以上のスケジューリング部が前記少なくとも２つのユーザ装置へのリソースの割り当てを制御する場合に、スケジューリング部が前記読み出された情報を用いて第２スケジューリング部とリソースの割り当てを調整するために前記読み出された情報を前記スケジューリング部へ送信するための送信機（６１２）と
を有することを特徴とする無線基地局（６１０）。
【請求項２４】
前記読み出し部（６１１）は、
各無線基地局受信アンテナについての上りリンク信号強度の測定に基づいて前記アンテナ構成の前記送信アンテナの偏波を決定し、
前記決定された偏波を、少なくとも２つの取りうる偏波状態のうちの１つに量子化する
ように構成されることを特徴とする請求項２３に記載の無線基地局（６１０）。
【請求項２５】
前記読み出し部（６１１）は、前記アンテナ構成の前記送信アンテナの偏波状態に等しくなるように前記アンテナ構成の前記受信アンテナの偏波状態を推定するように更に構成されることを特徴とする請求項２４に記載の無線基地局（６１０）。
【請求項２６】
各無線基地局受信アンテナについての前記上りリンク信号強度の前記測定は少なくとも２つの周波数について実行されることを特徴とする請求項２３又は２４に記載の無線基地局（６１０）。
【請求項２７】
前記読み出し部（６１１）は、前記サービスを受けるユーザ装置のそれぞれから前記情報を読み出すように構成されることを特徴とする請求項２３に記載の無線基地局（６１０）。
【請求項２８】
無線通信システムのためのユーザ装置（６２０）であって、
前記無線通信システムは、前記無線通信システムのユーザ装置にサービスを提供する少なくとも１つの無線基地局（６１０）と、前記無線通信システムの前記ユーザ装置へのリソースの割り当てを制御する少なくとも１つのスケジューリング部（６００）とを備え、
前記ユーザ装置（６２０）は送信アンテナと受信アンテナとを備えるアンテナ構成（６２３）を具備し、
前記ユーザ装置は、
前記アンテナ構成の偏波を決定するための決定部（６２１）と、
２つ以上のスケジューリング部が前記ユーザ装置へのリソースの割り当てを制御する場合に、スケジューリング部が転送された情報を用いて第２スケジューリング部とリソースの割り当てを調整するために、前記スケジューリング部へ前記決定された偏波に関する情報を転送するための転送部（６２２）と
を有することを特徴とするユーザ装置（６２０）。
【請求項２９】
前記決定部（６２１）は、
サービング無線基地局の送信アンテナ固有のパイロットの測定に基づいて前記アンテナ構成の前記受信アンテナの偏波を決定し、
前記決定された偏波を少なくとも２つの取りうる偏波状態のうちの１つに量子化する
ように構成され、
前記偏波状態は垂直偏波状態と水平偏波状態とを含む
ことを特徴とする請求項２８に記載のユーザ装置（６２０）。
【請求項３０】
前記偏波状態は混合偏波状態と択一偏波状態との少なくとも一方を更に含むことを特徴とする請求項２９に記載のユーザ装置（６２０）。
【請求項３１】
前記決定部（６２１）は、前記アンテナ構成の前記受信アンテナの偏波状態に等しくなるように前記アンテナ構成の前記送信アンテナの偏波状態を推定するように構成されることを特徴とする請求項２９又は３０に記載のユーザ装置（６２０）。
【請求項３２】
サービング無線基地局の送信アンテナ固有のパイロットの前記測定は少なくとも２つの周波数について実行されることを特徴とする請求項２９乃至３１の何れか１項に記載のユーザ装置（６２０）。
【請求項３３】
前記無線通信システムはＬＴＥであり、スケジューリング部は各無線基地局と同じ場所に配置され、前記転送部（６２２）は、プリコーディング行列インジケータ（ＰＭＩ）を用いてサービング無線基地局内の前記スケジューリング部へ前記情報を転送するによう構成されることを特徴とする請求項２８乃至３２の何れか１項に記載のユーザ装置（６２０）。
【発明の詳細な説明】
【技術分野】
【０００１】
本発明は無線通信システムにおけるスケジューリングに関する。より具体的に、本発明は、ユーザ装置への無線リソースの割り当てを制御するスケジューリング部と、ユーザ装置にサービスを提供するＲＢＳと、ユーザ装置と、リソースを割り当てるための対応する方法とに関する。
【背景技術】
【０００２】
ユニバーサル移動体テレコミュニケーションシステム（ＵＭＴＳ）はＧＳＭ（登録商標）を継承するように設計された第３世代移動体通信技術の１つである。３ＧＰＰのロングタームエボリューション（ＬＴＥ）は、高いデータレート、向上した効率、低いコストなどのような向上したサービスの観点で将来の要求に対処するようにＵＭＴＳ標準を改良するための第３世代パートナシッププロジェクト（３ＧＰＰ）内のプロジェクトである。ＵＭＴＳ地上無線アクセスネットワーク（ＵＴＲＡＮ）はＵＭＴＳシステムの無線アクセスネットワークであり、発展型ＵＴＲＡＮ（Ｅ−ＵＴＲＡＮ）はＬＴＥシステムの無線アクセスネットワークである。
【０００３】
図１ａに説明されるように、Ｅ−ＵＴＲＡＮは典型的に、一般にｅノードＢと呼ばれる無線基地局（ＲＢＳ）１００に無線接続されたユーザ装置（ＵＥ）１５０を含む。このような無線通信システムでは、良好なスペクトル効率を達成するために各セル１１０においてできるだけ多くの無線リソースを再利用することが望ましい。無線リソースは例えばタイムスロット、周波数、符号リソース及び無線基地局とユーザ装置との送信電力でありうる。Ｅ−ＵＴＲＡＮでは、下りリンク多重化は時分割多重（ＴＤＭ）と周波数分割多重（ＦＤＭ）との組合せであり、それ故リソースは時間領域と周波数領域との両方において共有される。一般にｅＮノードＢと同じ場所に配置されるスケジューリング部１２０は上りリンクと下りリンクとの両方において、各時点でこれらの共有無線リソースのＵＥ間での割り当てを制御する。
【０００４】
しかしながら、リソースが再利用される場合はいつも、この特定のリソースを利用する複数のリンク間での干渉（セル内干渉又はセル間干渉）を生じさせるかもしれない。よって、スケジューリング原理は干渉を考慮に入れる必要がある。スケジューリング原理は、ＵＥ間で共有されるリソースと同様に、無線インタフェース特性、例えば上りリンクと下りリンクとのどちらが検討されているか、相異なるユーザ送信が相互に直交するかどうかに依存して異なる。
【０００５】
干渉を管理するための様々なアプローチが知られている。１つの可能性は各セルにおいて利用可能なリソースの一部の使用を控えることである。複数のセルにおいてリソース使用を調整することによって、許容可能な干渉レベルが達成されうる。このアプローチの一部の例は周波数再使用、静的セル間干渉制御（ＩＣＩＣ）、及び分割ロードである。干渉を管理するためのこれらのアプローチに伴う問題は、これらがスケジューリングに利用可能なリソースを制限し、それによって各セルでリソースが最適に使用されないのでスペクトル効率が低減することである。
【０００６】
別のアプローチはＵＥについてのチャネル状態情報に基づいてどのＵＥが特定のリソースにアクセスできるかをより能動的に選択することに依存する。すべての取りうるＵＥのうち、互いへの干渉が最も低いものが一緒にスケジュールされてもよい。すべての所望の干渉リンクおよび一部の干渉リンクに関する平均チャネル利得の知識を有することによってこのような方式が可能になりうる。一部の例は調整スケジュールビームフォーミング、マルチポイント／マルチセル調整スケジューリングおよびアドバンスト動的ＩＣＩＣである。このような方式の問題は所望のＵＥと干渉するＵＥとの両方へのチャネル利得の正確な測定が必要なことであり、これはまた、測定がペイロードに使用されているリソースを使用するのでスペクトル効率を低減する。相異なるリンクに直交サウンディングパイロットを割り当てることによって測定の精度を向上することはまた、乏しいスペクトル効率を犠牲にする。
【０００７】
３ＧＰＰの進歩したＥ−ＵＴＲＡＮに適するさらに進歩したアプローチは、複数のＲＢＳから、これらのＲＢＳによりサービスが提供されるＵＥ間の干渉を効率的に「ゼロにする」ために調整された送信（または受信）を利用し、性能を向上するためにマルチポイントへ（マルチポイントから）同時にコヒーレントに信号を送信（または受信）してもよい。このような構成の１つはコヒーレントＣｏＭＰシステムと呼ばれ、地理的エリア内に無線サービスを提供する共通ＣｏＭＰ  ＲＢＳに接続された空間的に分散したアンテナノードのネットワークである。図１ｂはＣｏＭＰシステムの基本概念を説明する。ＣｏＭＰ  ＲＢＳ１３０はすべてのアンテナノード１６０の機能を調整し、スケジューリング部１２０は典型的にＣｏＭＰ  ＲＢＳと同じ場所に配置され、ＵＥ１５０にサービスを提供するために分散アンテナノード１６０の送信アンテナへ相異なる重みを適用する。送信アンテナへ相異なる重みを適用することは、相異なるアンテナで送信される信号が相異なる重みで乗算され、それによって所望の方向へアンテナビーム全体を形成するために信号の位相及び／又は振幅を調整することを意味する。これは、送信される信号又は送信アンテナへプリコーディングベクトルを適用することとして表現されてもよい。各アンテナノード１６０でカバーされるエリアはサブセル１７０と呼ばれ、ＣｏＭＰシステムによりカバーされるエリアはＣｏＭＰセル１４０と呼ばれる。典型的に、ＵＥ１５０はＣｏＭＰセル１４０内の２つ以上のアンテナノード１６０から信号を受信する。
【０００８】
このようなシステムについての問題は有用な利得を達成するために瞬時のチャネル知識が必要となることである。これにより、特に高移動性シナリオにおいて十分なチャネル知識を維持するために必要なフィードバック量の観点でこのアプローチは非常にコストが高くなる。
【発明の概要】
【発明が解決しようとする課題】
【０００９】
本発明の目的は上述の欠点の一部を取り除く方法及び装置を実現し、非常に低いオーバヘッドコストで相異なるＵＥ間の干渉を抑制するためにアンテナ偏波に基づいてＵＥにリソースを割り当てることを可能にすることである。
【課題を解決するための手段】
【００１０】
これは、スケジューリング部がＵＥアンテナ構成の偏波に関する情報を読み出し、この情報に基づいて、干渉を最小化する目的で相異なるＵＥに無線リソースを割り当てるソリューションによって実現される。スケジューリング部は情報をＲＢＳから読み出してもよいし、ＵＥから読み出してもよい。ＲＢＳ及びＵＥは偏波を決定し、この偏波に関する情報をスケジューリング部へ送信するだろう。スケジューリング部は必要ならば他のスケジューリング部とリソースの割り当てを調整する。
【００１１】
本発明の第１側面によれば、２つ以上のユーザ装置にサービスを提供する少なくとも１つのＲＢＳを備える無線通信システムにおいてリソースを割り当てる方法が提供される。各ＵＥは送信アンテナと受信アンテナとを備えるアンテナ構成を具備する。少なくとも１つのスケジューリング部がＵＥへの無線リソースの割り当てを制御する。本方法は、スケジューリング部によって実行され、ＵＥのうちの少なくとも２つのＵＥのアンテナ構成の偏波に関する情報を読み出すステップを有する。これはまた、読み出された情報に基づいて少なくとも２つのＵＥにリソースを割り当てるステップを有する。
【００１２】
本発明の第２側面によれば、２つ以上のユーザ装置にサービスを提供する少なくとも１つのＲＢＳを備える無線通信システムにおいてリソースを割り当てる方法が提供される。各ＵＥは送信アンテナと受信アンテナとを備えるアンテナ構成を具備する。少なくとも１つのスケジューリング部がＵＥへの無線リソースの割り当てを制御する。本方法は、ＲＢＳによって実行され、サービスを受けるＵＥのうちの少なくとも２つのユーザ装置のアンテナ構成の偏波に関する情報を読み出すステップを有する。これはまた、リソースを割り当てる際にスケジューリング部が読み出された情報を用いるために読み出された情報をスケジューリング部へ送信するステップを有する。
【００１３】
本発明の第３側面によれば、２つ以上のＵＥにサービスを提供する少なくとも１つのＲＢＳを備える無線通信システムにおいてリソースを割り当てる方法が提供される。各ＵＥは送信アンテナと受信アンテナとを備えるアンテナ構成を具備する。少なくとも１つのスケジューリング部がＵＥへの無線リソースの割り当てを制御する。本方法は、ＵＥによって実行され、アンテナ構成の偏波を決定するステップを有する。これはまた、リソースを割り当てる際にスケジューリング部が転送された情報を用いるために、スケジューリング部へ決定された偏波に関する情報を転送するステップを有する。
【００１４】
本発明の第４側面によれば、無線通信システムのためのスケジューリング部が提供される。無線通信システムは２つ以上のＵＥにサービスを提供する少なくとも１つのＲＢＳを備える。各ＵＥは送信アンテナと受信アンテナとを備えるアンテナ構成を具備する。スケジューリング部はＵＥへの無線リソースの割り当てを制御するように構成される。これは、ＵＥのうちの少なくとも２つのＵＥのアンテナ構成の偏波に関する情報を読み出すための読み出し部と、読み出された情報に基づいて少なくとも２つのＵＥにリソースを割り当てるための割り当て部とを有する。
【００１５】
本発明の第５側面によれば、無線通信システムのためのＲＢＳが提供される。無線通信システムはＵＥへの無線リソースの割り当てを制御するスケジューリング部を備える。各ＵＥは送信アンテナと受信アンテナとを備えるアンテナ構成を具備する。ＲＢＳはＵＥにサービスを提供するように構成され、サービスを受けるＵＥのうちの少なくとも２つのＵＥのアンテナ構成の偏波に関する情報を読み出すための読み出し部を有する。これはまた、リソースを割り当てる際にスケジューリング部が読み出された情報を用いるために読み出された情報をスケジューリング部へ送信するための送信機を有する。
【００１６】
本発明の第６側面によれば、無線通信システムのためのＵＥが提供される。無線通信システムは、無線通信システムのＵＥにサービスを提供する少なくとも１つのＲＢＳと、無線通信システムのＵＥへの無線リソースの割り当てを制御する少なくとも１つのスケジューリング部とを備える。ＵＥは送信アンテナと受信アンテナとを備えるアンテナ構成を具備し、アンテナ構成の偏波を決定するための決定部と、リソースを割り当てる際にスケジューリング部が転送された情報を用いるために、スケジューリング部へ決定された偏波に関する情報を転送するための転送部とを有する。
【００１７】
本発明の実施形態の利点は、限られたチャネルフィードバックで、又はチャネルフィードバックが全くなく、所定の程度の干渉調整を可能にすることである。この調整からの利得は主にＶＰアンテナ又はＨＰアンテナを有するＵＥについて５−１５ｄＢのオーダでありうる増加した分離である。
【００１８】
本発明の実施形態の更なる利点は、アンテナ偏波が速さに依存せず、方向だけに依存するので、ＵＥモビリティの速さに対して非常に良好なロバスト性を提供することである。
【００１９】
本発明の実施形態のさらに別の利点はコヒーレントＣｏＭＰシステム利得の一部がたったの２ビット／秒のチャネルフィードバックで可能であることである。
【図面の簡単な説明】
【００２０】
【図１ａ】本発明が実施されてもよい従来の無線通信システムの一部を概略的に説明する図である。
【図１ｂ】本発明が実施されてもよいコヒーレントＣｏＭＰシステムを概略的に説明する図である。
【図２】本発明の偏波ベースのスケジューリングの基本概念を概略的に説明する図である。
【図３ａ】、
【図３ｂ】、
【図３ｃ】、
【図３ｄ】本発明の実施形態に係るスケジューリング部により実行される方法のフローチャートである。
【図４ａ】、
【図４ｂ】本発明の実施形態に係るＲＢＳにより実行される方法のフローチャートである。
【図５ａ】、
【図５ｂ】本発明の実施形態に係るＵＥにより実行される方法のフローチャートである。
【図６ａ】本発明の実施形態に係るスケジューリング部及びＲＢＳを概略的に説明する図である。
【図６ｂ】本発明の実施形態に係るＵＥを概略的に説明する図である。
【発明を実施するための形態】
【００２１】
以下に、所定の実施形態と添付の図面とを参照しつつ本発明が詳細に記載される。説明のためであって限定のためではなく、本発明の完全な理解を提供するために特定のシナリオ、技術などのような特定の詳細が説明される。しかしながら、本発明がこれらの個別の詳細とは別の実施形態で実施されてもよいことが当業者には明らかだろう。
【００２２】
さらに、本明細書で以下に説明される機能及び手段はプログラム済マイクロプロセッサ又は汎用コンピュータと連携して機能するソフトウェアを用いて実装されてもよいし、及び／又は特定用途向け集積回路（ＡＳＩＣ）を用いて実装されてもよいを当業者は理解するだろう。本発明は主に方法及び装置の形式で記載されるが、本発明はまたコンピュータプログラム製品に具現化されてもよいだけでなく、コンピュータプロセッサと当該プロセッサに結合したメモリとを備え、本明細書で開示される機能を実行してもよい１つ以上のプログラムがメモリに符号化されたシステムに具現化されてもよいことも理解されるだろう。
【００２３】
本発明は特定の例示のシナリオを参照して本明細書に記載される。特に、本発明は３ＧＰＰ  ＬＴＥシステムに関連する限定しない汎用的な文脈で記載される。しかしながら、本発明及びその例示の実施形態はＵＴＲＡＮ、ＷｉＭａｘ及びＧＳＭのような他のタイプの無線アクセス技術に適用されてもよいことに留意されるべきである。
【００２４】
本発明では、干渉を抑制しつつ高スペクトル効率を維持するという問題は、無線リソースをＵＥに割り当てるためにＵＥアンテナ構成の偏波情報を用いるソリューションによって対処される。これにより、非常に低いオーバヘッドコストで相異なるＵＥ間の干渉を抑制できる。
【００２５】
偏波は波の振動の方向を表現する波の特性である。無線チャネルは非見通し線状況でさえ送信波の偏波状態の側面を維持することが知られている。よって、送信された垂直偏波は非常に制限された交差偏波散乱で受信側への伝播を通じて自身の垂直偏波（ＶＰ）を維持するだろう。無線チャネルにおけるこの限られた量の交差偏波散乱に起因して、垂直偏波対垂直偏波の組み合わせ及び水平偏波対水平偏波の組合せ（送信アンテナと受信アンテナの偏波の組合せ）は平均して等しい受信信号電力を提供しつつ、交差偏波の組合せ（垂直対水平、またはその逆）は典型的に５〜１５ｄＢ弱い受信信号電力を提供する。よって、ＶＰ送信アンテナを有するＲＢＳにより提供される信号は、ＶＰ受信アンテナを有するＵＥ（すなわち、垂直偏波対垂直偏波の組合せ）における方が水平偏波（ＨＰ）受信アンテナ（垂直偏波対水平偏波の組合せ）におけるものよりも強い信号として受信されるだろう。これは、１つのセル内のＵＥとの間の干渉と、場合によっては隣接セル内の最大の同一チャネル干渉源との間の干渉とを減らすために、いわゆる偏波直交である、ＵＥの１つについての垂直偏波対垂直偏波の組合せと他方のＵＥについての水平偏波対水平偏波の組合せとが用いられるべきである。非常に近くに搭載されたサービングＲＢＳアンテナを有する同じサイト内の隣接セル内のＵＥについて、偏波直交性は理想に近いことが予想されうる。
【００２６】
無線リソースの割り当てを担当するユニットは以下でスケジューリング部と呼ばれる。図１ａに説明されるもののようなＥ−ＵＴＲＡＮの例では、ｅＮＢ１００ごとに１つのスケジューリング部１２０が存在し（スケジューリング部とｅＮＢとは典型的に互いに同じ場所に配置され）、スケジューリング部１２０は下りリンクと上りリンクとにおいて別々にサービスを受けるＵＥ１５０にリソースを割り当てる。上りリンクについて、ＵＥ送信動作の制御はスケジューリング部からＵＥへ送信されたスケジューリング許可に基づく。ＣｏＭＰシステムを説明する図１ｂでは、本発明のスケジューリング部は典型的にＣｏＭＰ  ＲＢＳ１３０と同じ場所に配置され、分散したアンテナノード１６０のそれぞれについて送信アンテナに重みを割り当てる役割を有する。
【００２７】
図２に説明されるように、ＶＰアンテナを有するＵＥ２６０が、ＶＰチャネル２２０（垂直偏波対垂直偏波の組合せ）を結果として生じる送信モードを利用するＲＢＳ２００と送受信するようにスケジューリングされ、これとともに、水平ＨＰアンテナを有する第２ＵＥ２５０が、ＨＰチャネル２１０を結果として生じるＨＰ送信モードを利用するＲＢＳにスケジューリングされることから恩恵を受ける。２つのＵＥ間の干渉抑制は、２つのＵＥが共に同じ偏波組合せ（すなわち、非直交偏波）を用いている場合と比較して、余計な５−１５ｄＢの追加になるだろう。ＵＥは常に純粋なＶＰアンテナ又はＨＰアンテナを有するわけではなく、その代わりによりランダムな偏波（ＨＰとＶＰとの混合）を有しうる。複数のＵＥの場合に、ＶＰを有するＵＥとＨＰを有するＵＥとを明確にペアにすることは有利であるだろうが、よりランダムな偏波を有するこれらのＵＥは、偏波に基づいて乏しい分離が可能であることに起因して無線リソースのより排他的な使用が必要になるだろう。
【００２８】
基本形態では、本発明はＵＥアンテナ構成の偏波を決定することと、偏波に関する情報をスケジューリング部に転送することとで構成される。偏波情報の決定及び転送は連続的に行われるか、一定間隔で行われるか、又はスケジューリング部からの問い合わせに応答して行われうる。別の可能性では、これはイベントにより起動され、例えば、ＵＥは、アンテナ偏波が実質的に変更された場合に、またはこのＵＥから又はこのＵＥへ送信するデータが存在する場合に、偏波情報を転送することを起動されてもよい。次いで、スケジューリング部は相異なるＵＥにリソースを割り当てる際にこの読み出された偏波情報を使用できる。どのＵＥを一緒にスケジュールするかの決定は例えば上述のようにＵＥのアンテナ偏波により影響されうる。別の例として、強い干渉関係と低いアンテナ偏波直交性とを有する２つのＵＥは時間又は周波数において相異なるリソースブロックにスケジュールされうる。偏波直交性に基づいて干渉ＵＥを分類し、それによって同一チャネル干渉を最小化するためにリソースをスケジューリングして割り当てる際にこの偏波直交性を利用することも可能である。
【００２９】
本発明の１つの実施形態では、２つ以上のスケジューリング部が、アンテナ偏波を決定されるＵＥへのリソースの割り当てを制御する。最適な方法でこれらのＵＥにリソースを割り当てるために、相異なるスケジューリング部が互いにリソースの割り当てを調整する必要がある。例えば図１ａのＥ−ＵＴＲＡＮでは、隣接セル内のＵＥへのリソースの割り当ては（典型的にはｅノードＢと同じ場所に配置される）相異なるスケジューリング部で扱われ、これはそれ故、例えば隣接セル内のＵＥについて偏波直交性を取得するためにこれらのスケジューリング部の間での調整が必要となることを意味する。これは上りリンクおよび下りリンクのスケジューリングについて当てはまる。この調整は、スケジューリング部の間の偏波情報の転送を意味し、これは例えばＥ−ＵＴＲＡＮのｅノードＢ間の既存のＸ２インタフェースを介して行われてもよい。Ｘ２インタフェースのソリューションは既存のオーバロードインジケータ及び高干渉インジケータに追加の標準化手続きを要求してもよい。
【００３０】
本発明は様々なタイプのネットワークに適用でき、様々なサイズのクラスタに適用できる。本発明は上りリンクと下りリンクのいずれに用いられてもよい。ＬＴＥ下りリンクについてのリソースの割り当てに有効な１つの例示の実施形態では、読み出されるのはＵＥ受信アンテナ偏波であり、その場合にリソースの割り当ては、読み出された偏波情報に基づくＲＢＳ送信アンテナの制御を含むだろう。ＵＥ受信アンテナがＶＰであると判定されたならば、ＲＢＳ  ＶＰ送信アンテナが当該ＵＥへの送信のために選択されるべきだが、ＨＰ受信アンテナを有するＵＥへの送信のためにはＲＢＳ  ＨＰ送信アンテナが選択されるべきである。例えばＵＥが自身のアンテナ構成において２つ以上の送信アンテナを有するＬＴＥ上りリンクにおけるＵＥへのリソースの割り当てに有効な代替の例示の実施形態では、これらのＵＥ送信アンテナの偏波に関する情報が読み出され、ＵＥ送信アンテナを制御するために用いられる。本発明はまた、分散アンテナノードを有するＣｏＭＰシステムにおいても用いられてもよく、この場合に送信アンテナの制御は所望の送信アンテナ偏波を得るための送信アンテナ重みの設定に対応するだろう。さらに別の例示の実施形態では、本発明は、上りリンク送信について偏波直交性を有するＵＥをペアにすることによって、例えばマルチユーザＭＩＭＯを用いるシステムにおいて、単一セル内のユーザ間の上りリンク干渉を低減するために用いられる。
【００３１】
特にＣｏＭＰシステムにおいて、リソースの割り当てに偏波情報を根拠として用いることは非常に有利である。ＣｏＭＰ  ＲＢＳは干渉レベルを許容可能に維持するために、サービスを受けるすべてのＵＥチャネル情報を連続的に更新される必要がある。これは、非常に多量のシグナリングを意味する。この多量のチャネル情報をＵＥ偏波情報に置き換えることによって、必要となるシグナリングの量が劇的に減るだろう。多くの状況でＵＥアンテナ偏波は他の高速フェージング変動と比較してゆっくりと変わると予想されるので、本発明に必要とされるシグナリングは低く保たれうる。たった２ビット／秒で、偏波ベースのリソース割り当ては干渉レベルを大幅に向上できる。これは、４００ビット／秒（１０ｍｓごとに４ビット）のオーダのシグナリングを有する閉ループプリコーディングや数千ビット／秒のオーダのシグナリングを有するコヒーレントＣｏＭＰと比較されうる。
【００３２】
２つのユーザがこれらの偏波直交性に基づいて同時送信についてスケジューリングされている場合に、使用される送信フォーマットがこの直交性を持続することが重要である。２つの垂直偏波アンテナを有するＵＥ  Ａと、１つの垂直アンテナと１つの水平アンテナとを有するＵＥ  Ｂとを検討する。ＢがＶＰアンテナから任意の信号を送信することを控えるならば、直交性が維持されうることは明らかである。次いで、ＡとＢとが無線リソースへ同時にアクセスすることを可能にするスケジューリング決定は、Ｂの送信フォーマットに関する所定の制限を条件としうる。Ａがその代わりに２つの水平偏波アンテナを具備しているならば、Ｂについて異なる制約が必要になるだろう。送信フォーマットのこの制約はオプションであるか、又は他の基準で偏波を制御させるよりも緩い制約となりうる。従って、スケジューリング許可はどの偏波がスケジュールされたリソースに使用されることを許可されたかを特定する「偏波許可」を用いて実現されうる。
【００３３】
交差偏波散乱はＶＰ偏波アンテナ又はＨＰ偏波アンテナからの送信について最小化されるので、偏波ベースのスケジューリングの全潜在能力を得るために、プリコーディングベクトルがＶＰ送信モード及びＨＰ送信モードに結果としてなるようにＲＢＳアンテナを構成することも有利である。実際の物理的ＲＢＳアンテナが純粋なＶＰアンテナ及びＨＰアンテナではなく交差偏波を有するとしても、これらはアンテナから送信される信号（又はプリコーディングベクトル）に相異なる重みを割り当てることによって、ＶＰ信号及びＨＰ信号を送信するように構成されうる。
【００３４】
本発明に従って干渉を抑制するための方法は上記の例で説明されたように純粋な偏波スケジューリング原理として用いられうる。すなわち、リソースの割当を決定する際の入力として用いられるのは偏波情報だけである。しかしながら、リソースの割り当てに影響を与えうる他の要因への補足として偏波情報を用いることも可能である。この場合に偏波直交性は例えば比例衡平スケジューリングにおけるチャネル品質インデックスの重み付けに類似した、重み付けされたスケジューリング係数として導入されてもよい。
【００３５】
本発明の１つの第１実施形態では、サービスを受けるＵＥのアンテナ構成の偏波に関する情報を読み出し、ＵＥにリソースを割り当てる際にスケジューリング部が情報を使用できるようにスケジューリング部へこの情報を送信するのはＲＢＳである。ＵＥアンテナ構成は少なくとも、１つの送信アンテナと１つの受信アンテナとを備える。ＬＴＥでは、典型的なＵＥアンテナ構成は１つの送信アンテナと２つの受信アンテナである。
【００３６】
この第１実施形態の１つの代替では、ＵＥ送信アンテナ偏波は、各偏波ＲＢＳ受信アンテナについての受信信号強度の測定に基づいてＲＢＳによって判定される。ＲＢＳが直交偏波を有する少なくとも２つの受信アンテナを有するならば、これは、相異なる重みをアンテナに適用することによってこれらの直交偏波を（以降で仮想アンテナ偏波と呼ばれる）任意の偏波に組み合せて、各組合せについてＵＥ信号の信号強度を測定してもよい。よって、最高の受信信号強度を提供する組合せから生じる偏波はＵＥ送信アンテナの偏波に対応する。
【００３７】
スケジューリング部のシグナリングを制限するために、決定されたアンテナ偏波は２つ以上の偏波状態に量子化されうる。量子化の別の目的は直交偏波にあるＵＥのペアリングを容易にできることである。最も単純な量子化は各ＵＥアンテナを２つの状態であるＶＰ状態とＨＰ状態とのうちの１つに分類することである。これは結果として、たったの１ビットのシグナリングになる。ＶＰ状態及びＨＰ状態に加えて、偏波がＶＰとＨＰとの混合であることを示す状態が加えられてもよい。この状態はまた、偏波が時間に関して不変でない場合にも用いられうる。この状態は混合偏波状態と呼ばれる。アンテナがどの偏波状態を有するべきかに関する決定はｄＢで与えられる閾値ｘを用いてなされうる。例えば仮想ＨＰアンテナについての受信信号強度が仮想ＶＰアンテナについての受信信号強度よりも少なくともｘｄＢ強いならば、又はその反対ならば、ＵＥ送信アンテナはＨＰ状態／ＶＰ状態が与えられるべきである。そうでなければ、混合偏波状態が与えられるべきである。
【００３８】
ＵＥはまた、受信及び／又は送信のための２つ以上のアンテナを有してもよく、この状況について択一（either）偏波状態と呼ばれる第４偏波状態が加えられうる。この状態はＵＥのアンテナの１つがＶＰであり他方の１つがＨＰであることを示し、よってＵＥは偏波の一方を受信及び／又は送信できる。偏波状態数の更なる拡張が可能であり、例えば相対位相情報で周波数選択フルＶＰ／ＨＰ電力比を変換する状態を追加する。これは必要なシグナリングを増やすだろうが、偏波状態のより正確な定義を与えるだろう。
【００３９】
上述の第１実施形態の別の変形では、下りリンクにおいてＵＥにリソースを割り当てるために読み出されるのはＵＥ受信アンテナ偏波である。これは、上述のようにＵＥ送信アンテナを測定してそれを量子化し、ＵＥ送信アンテナ偏波状態に等しくなるようにＵＥ受信アンテナ偏波状態を推定することによって行われる。よって、これは単なる推定であるが、上りリンクと下りリンクとの両方について同じアンテナが用いられるならば良好な推定である。
【００４０】
本発明の第２実施形態では、アンテナ構成の偏波を決定するためにスケジューリング部によって問い合わされるのはＵＥである。ＵＥにリソースを割り当てる際にスケジューリング部が情報を使用できるように、ＵＥは偏波に関する情報をスケジューリング部へ転送するだろう。この変形の利点は、ＵＥ受信アンテナがＵＥ送信アンテナと同じでない場合や送信アンテナと受信アンテナとの数が同じでない場合に、ＵＥ受信アンテナ偏波に関するより正確な情報を与えることである。なぜなら、これは、ＵＥ送信アンテナ偏波がＵＥ受信アンテナ偏波に対応しないことを意味するからである。
【００４１】
さらに、ＬＴＥにおいて２つの送信アンテナを有するＵＥのための最適なＵＥ送信アンテナホッピングモードも存在する。１つのモードでは、使用するアンテナはｅノードＢにより選択され、他方のモードではＵＥは自立的であり、すなわちＵＥはｅノードＢからの制御を受けずにどのアンテナを用いるかを選択する。ｅノードＢに選択される第１アンテナモードはＵＥアンテナに固有の偏波測定として用いられうるが、第２自立方法は何も指針を提供しないだろう。これらのモードはオプションであるので、すべてのＵＥに機能が存在するわけではなく、システムはどのＵＥがこの機能をサポートするかを知るだろう。
【００４２】
ＬＴＥシステムでは、スケジューリング部は典型的にＲＢＳと同じ場所に配置され、ＵＥにより決定される偏波状態はＲＢＳを介してスケジューリング部へ転送される。スケジューリング部をＵＥと同じ場所に配置することも可能であるだろう。これは、偏波情報の転送がＲＢＳを含まないことを意味するだろう。これはＵＥがネットワークの代わりにリソースの割り当てを制御する無線通信システムにおいて想定される。
【００４３】
第２実施形態の１つの変形では、ＵＥ送信アンテナ偏波を測定する際にＲＢＳにおいて行われるのと同様に（上記参照）、サービングＲＢＳ送信アンテナから送信されたパイロット信号の測定に基づいてＵＥが自身の受信アンテナ偏波を決定し、偏波を量子化する。ＵＴＲＡＮにおけるパイロット信号は共通パイロットチャネル（プライマリ及びセカンダリ）である。ＬＴＥでは、パイロット信号は相異なる参照信号に対応する。送信アンテナ偏波に関する情報が必要ならば、１つ（又は複数）の受信アンテナ偏波状態に等しくなるように送信アンテナ偏波状態が推定される。ＵＥが実際に測定することなく自身の偏波に関する知識を有することも可能である。１つの例では、ＵＥはＵＥの方向を検出する動きセンサを具備しうる。
【００４４】
本発明が２つ以上のセクタセルを有する単一のサイト内のセル境界の近くにあるＵＥ間の干渉を低減するために用いられる場合に、偏波状態はサイトごとに読み出されてもよい。しかしながら、一部の状況では、大部分のＶＰまたはＨＰのＵＥアンテナについて最も顕著に、ＵＥアンテナの偏波状態は複数のサイトに関して類似するだろうことが予想されうる。これは、必要な測定の回数を低減するために用いられうる。各サイトで測定する代わりに、１つのＲＢＳにより読み出されたＵＥ偏波に関する情報が隣接するＲＢＳへシグナリングされてもよい。ＬＴＥでは、これは例えばＸ２インタフェースを介して行われうるだろう。
【００４５】
本発明の１つの実施形態によれば、偏波は周波数帯にわたって変わりうるので、少なくとも２つの異なる周波数について偏波が測定される。これは、使用される周波数帯が広い場合や、２つの別々の周波数帯が用いられる場合に適用されてもよく、リソースを割り当てる際に周波数選択偏波を考慮に入れることを可能にする。このような周波数選択測定は、周波数帯全体について偏波が不変でない場合に、代替として１つの広帯域混合偏波状態としてシグナリングされてもよい。
【００４６】
本発明の１つの例示の実施形態では、無線通信システムはＬＴＥシステムであり、スケジューリング部とｅノードＢとは同じ場所に配置される。下りリンクにおいてリソースをＵＥに割り当てる際に、ＵＥ受信アンテナ偏波に関する情報が必要になる。上述の第２実施形態の変形の１つによれば、ＵＥは自身の受信アンテナ偏波を、サービングＲＢＳ送信アンテナから送信されたパイロット信号の測定に基づいて決定する。この情報は次いで上述の取りうる偏波状態の１つに量子化され、ｅノードＢと同じ場所に配置されたスケジューリング部へ転送される。この情報を転送するための１つの変形は、既存のプリコーディング行列インジケータ（ＰＭＩ）を用いることである。２つの偏波ＲＢＳアンテナを用いて、ＰＭＩソリューションは結果としてランク１制約（閉ループプリコーディング）で４ビットシグナリング及びランク２使用可能（閉ループ空間多重化）で６ビットを生じる。このようなソリューションの１つの利点はＵＥがアンテナ構成偏波スケジューリングに気づかないことである。
【００４７】
シグナリングのためにＰＭＩを用いることの変形として、更なる個別の送信モードが導入されうる。この変形の利点は、ソリューションのために２ビットあれば十分であるので、１ビット又は２ビットにシグナリングが低減されることである。２ビットあれば、少なくともＶＰ状態、ＨＰ状態、及び混合偏波状態をシグナリングすることができる。
【００４８】
ＵＥの偏波状態に関する情報がネットワークで既知である場合に、これは、ハンドオーバ、アドミッション及び輻輳制御、並びにセル選択のような他の機能をも改善するために用いられうる。スケジューリング部により行われるリソースの割り当ては例えばハンドオーバについて、偏波情報に基づくサービングＲＢＳの制御、すなわちサービングＲＢＳの選択を含む。リソースの割り当てはハンドオーバ候補のＲＢＳのスケジューリング部の間で調整される必要がある。アドミッション及び輻輳制御について、特定のＵＥは自身の偏波に基づいて如何なるリソースも割り当てられないだろう。
【００４９】
図３ａは本発明の第１実施形態に係るスケジューリング部により実行されるステップを有する方法のフローチャートである。これは、少なくとも２つのＵＥのアンテナ構成の偏波に関する情報を読み出すステップ３１０と、読み出された情報に基づいてこれらの相異なるＵＥにリソースを割り当てるステップ３２０とを有する。ＵＥのアンテナ構成は少なくとも、１つの受信アンテナと１つの送信アンテナとを備える。
【００５０】
図３ｂは本発明の第２実施形態に係るスケジューリング部の方法のフローチャートである。これは、図３ａを参照して上述された第１実施形態のステップと、第２スケジューリング部とリソースの割り当てを調整する追加のステップ３３０とを有する。これは、ＵＥへのリソースの割り当てが相異なるスケジューリング部によって制御される場合に必要となる。次いで、スケジューリング部はリソースの割り当てが調整されるように、関連する偏波情報を互いに通信しなければならないだろう。通信は例えばＬＴＥの場合にＸ２インタフェースを介して行われてもよい。
【００５１】
さらに、図３ｃは本発明の第３実施形態に係るスケジューリング部の方法のフローチャートである。この実施形態では、下りリンク送信のためにＵＥにリソースを割り当てることが目的である。本方法は、ＵＥ受信アンテナ（又はアンテナ群）の偏波に関する情報を読み出すステップ３１１と、読み出された情報に基づいてＲＢＳ送信アンテナ偏波を制御するステップ３２１とを有する。ＵＥ受信アンテナ偏波が例えば垂直偏波であるならば、ＶＰ  ＲＢＳ送信アンテナが送信のために用いられることが確保されるべきである。ＲＢＳ送信アンテナ偏波のこの制御はＣｏＭＰシステムの例では重み又はいわゆるプリコーディングベクトルが送信アンテナに適用されることを意味する。ＵＥへ信号を送信するＲＢＳアンテナが２つ以上存在するので、ＵＥでの合成信号は送信アンテナに重みを適用することによって所望の偏波を与えられうる。
【００５２】
図３ｄは本発明の第４実施形態に係るスケジューリング部の方法のフローチャートである。この実施形態では、２つ以上のＵＥ送信アンテナが存在する場合に上りリンク送信についてＵＥにリソースを割り当てることが目的である。本方法は、ＵＥ送信アンテナの偏波に関する情報を読み出すステップ３１２と、読み出された情報に基づいてＵＥ送信アンテナ偏波を制御するステップ３２２とを有する。また、これは送信アンテナに重みを適用することによって行われてもよい。
【００５３】
図４ａは本発明の実施形態に係るＲＢＳにより実行される方法のフローチャートである。この実施形態では、連続して又はスケジューリング部からの要求に応じてＵＥアンテナ構成の偏波に関する情報を読み出すのはＲＢＳである。本方法は、サービスを受けるＵＥのアンテナ構成の偏波に関する情報を読み出すステップ４１０と、これらのサービスを受けるＵＥのリソースの割り当てに責任を有するスケジューリング部へ読み出された情報を送信するステップ４２０とを有する。
【００５４】
図４ｂは本発明の別の実施形態に係るＲＢＳの方法のフローチャートである。これは、サービスを受けるＵＥの送信アンテナの偏波に関する情報を読み出すステップ４１１と、それを偏波状態に量子化するステップ４１２とを有する。この情報は、上りリンク送信についてリソースを割り当てるためにスケジューリング部によって用いられうる。本方法はまた、送信アンテナ偏波状態と等しくなるように受信アンテナ偏波状態を推定するステップ４１２を有する。この推定は、送信アンテナと受信アンテナとに同じアンテナが用いられるならば良好であり、下りリンク送信についてリソースを割り当てるためにスケジューリング部によって用いられうる。ステップ４２０で、読み出だされた情報はスケジューリング部へ送信される。
【００５５】
図５ａは本発明の実施形態に係るＵＥの方法のフローチャートである。この実施形態では、連続して又はスケジューリング部からの要求に応じて自身のアンテナ構成の偏波に関する情報を決定するのはＵＥである。本方法は、アンテナ構成の偏波を決定するステップ５１０と、決定された偏波をスケジューリング部へ転送するステップ５２０とを有する。スケジューリング部がＲＢＳと同じ場所に配置されるならば、転送するステップはスケジューリング部への無線インタフェースを介した送信を含む。スケジューリング部はまた、ＵＥと同じ場所に配置されてもよく、この場合に転送するステップはＲＢＳを伴わないだろう。
【００５６】
図５ｂは本発明の別の実施形態に係るＵＥの方法のフローチャートである。これは、ＵＥ受信アンテナの偏波を決定するステップ５１１と、これを偏波状態に量子化するステップ５１２とを有する。偏波状態は２つの状態、ＶＰ状態とＨＰ状態とのうちの１つであってもよい。ＨＰとＶＰとの混合であるか、時間又は周波数を通じて不変でない偏波のための混合偏波状態として、若しくはＶＰ又はＨＰの一方を使用する可能性を提供する２つ以上のアンテナが存在するならば択一偏波状態として、追加の状態が追加されてもよい。偏波状態は、下りリンク送信についてリソースを割り当てるためにスケジューリング部によって用いられうる。本方法はまた、受信アンテナ偏波状態に等しくなるように送信アンテナ偏波状態を推定するステップ５１３を有する。ステップ５２０で、決定された偏波状態がスケジューリング部へ転送される。
【００５７】
本発明の１つの実施形態に係るスケジューリング部６００が図６ａに概略的に説明される。これは、少なくとも２つのＵＥのアンテナ構成の偏波に関する情報を読み出すための読み出し部６０１を備える。これはまた、読み出された偏波情報に基づいてＵＥにリソースを割り当てるための割り当て部６０２を備える。さらに、これは、ＵＥが２つ以上のスケジューリング部によって制御される場合に第２スケジューリング部とリソースの割り当てを調整するための調整部６０３を備える。スケジューリング部６００はこの実施形態ではＲＢＳと同じ場所に配置されるが、これは（ＵＥで調整されるスケジューリングの場合に）ＵＥと同じ場所に配置されてもよいし、ＵＴＲＡＮの無線ネットワーク制御装置のような別個のノードにあってもよい。
【００５８】
本発明の１つの実施形態に係るＲＢＳ６１０も図６ａに説明される。これは、サービスを受けるＵＥのアンテナ構成の偏波に関する情報を読み出すための読み出し部６１１と、読み出された情報をスケジューリング部へ送信するための送信機６１２とを備える。
【００５９】
本発明の１つの実施形態に係るＵＥ６２０が図６ｂに概略的に説明される。これは、アンテナ構成６２３のアンテナの偏波を決定するための決定部６２１を備える。これはまた、決定された偏波をスケジューリング部へ転送するための転送部６２２を備える。
【００６０】
上述された実施形態は単に例として与えられ、本発明を限定すべきでない。添付の特許請求の範囲で主張される本発明の範囲に含まれる他のソリューション、用法、目的及び機能が当業者にとって明らかであるはずである。
【００６１】
略語
３ＧＰＰ  第３世代パートナシッププロジェクト（3rd Generation Partnership Project）
ＡＳＩＣ  特定用途向け集積回路（Application Specific Integrated Circuit）
ＣｏＭＰ  調整マルチポイント送受信（Coordinated multi-point transmission or reception）
Ｅ−ＵＴＲＡＮ  発展型ＵＴＲＡＮ（Evolved UTRAN）
ＦＤＭ    周波数分割多重（Frequency Division Multiplexing）
ＨＰ      水平偏波（Horizontal polarization）
ＩＣＩＣ  セル間干渉制御（Inter-cell interference coordination）
ＬＴＥ    ロングタームエボリューション（Long Term Evolution）
ＭＩＭＯ  多入力多出力（Multiple-Input Multiple-Output）
ＰＭＩ    プリコーディング行列インジケータ（Pre-coding Matrix Indicator）
ＲＢＳ    無線基地局（Radio Base Station）
ＴＤＭ    時分割多重化（Time Division Multiplexing）
ＵＥ      ユーザ装置（User Equipment）
ＵＭＴＳ  ユニバーサル移動体テレコミュニケーションシステム（Universal Mobile Telecommunication System）
ＵＴＲＡＮ  ＵＭＴＳ地上無線アクセスネットワーク（UMTS Terrestrial Radio Access Network）
ＶＰ      垂直偏波（Vertical polarization）
【図１ａ】
0005400958.tif 000002
【図１ｂ】
0005400958.tif 000003
【図２】
0005400958.tif 000004
【図３ａ】
0005400958.tif 000005
【図３ｂ】
0005400958.tif 000006
【図３ｃ】
0005400958.tif 000007
【図３ｄ】
0005400958.tif 000008
【図４ａ】
0005400958.tif 000009
【図４ｂ】
0005400958.tif 000010
【図５ａ】
0005400958.tif 000011
【図５ｂ】
0005400958.tif 000012
【図６ａ】
0005400958.tif 000013
【図６ｂ】
0005400958.tif 000014